(57)【要約】      （修正有）【課題】ジャッキアップ圧入式鋼管杭施工にあたり鋼管杭の連結部について、溶接個所の確実な作業・確実な検査により、上下の鋼管杭を確実に一体化した鋼管基礎杭を提供する。【解決手段】鋼管１と建築物基礎底との間に油圧ジャッキＣを設置し、油圧ジャッキを操作することで家屋の自重の反力を利用して鋼管に土中に圧入して、多段の鋼管により基礎杭Ａを構成する鋼管杭施工法において、管杭の上端部に拡大部を形成し、下段の鋼管の拡大部と上段の鋼管の下端部とを係合させ、上段の鋼管の下端部の周囲と、下段の鋼管の拡大部とを溶接することにより、上下の鋼管を接続して一体化して鋼管基礎杭とすることを特徴とする。【選択図】図１
2019152083.tif 000002
【特許請求の範囲】
【請求項１】
鋼管杭と建築物基礎底との間に油圧ジャッキを設置し、油圧ジャッキを操作することで家屋の自重の反力を利用して鋼管杭に土中に圧入して、多段の鋼管杭により基礎杭を構成する鋼管杭施工法において、
管杭の上端部に拡大部を形成し、
下段の鋼管杭の拡大部と上段の鋼管杭の下端部とを係合させ、
上段の鋼管杭の下端部の周囲と、下段の鋼管杭の拡大部とを溶接することにより、上下の鋼管杭を接続して一体化すること
を特徴とする基礎修復のための鋼管杭施工法。
【発明の詳細な説明】
【技術分野】
【０００１】  本発明は、傾斜家屋の基礎の修復にあたり、ジャッキ使用による鋼管杭の圧入工法に関する。
【背景技術】
【０００２】  ジャッキ使用による鋼管杭の圧入工法による鋼管杭施工に際し、複数本の鋼管杭を順次圧入し上下の鋼管杭を連結することで、１本の基礎杭を形成している。
【特許文献】
【０００３】
【特許文献１】特開２００７−１６９９８８号
【発明の開示】
【発明が解決しようとする課題】
【０００４】  特許文献１（発明の名称：支持杭の圧入法および載荷試験方法）は、上下の鋼管杭を連結して１本の基礎杭Ａ’を形成するにあたり、
図＊＊に示すごとく、鋼管杭１’の連結部Ｂ’に単管１ａを挿入し、単管の上端と鋼管杭の内面とを溶接することで、上下の鋼管杭を一体化している。
単管の上端と鋼管杭の内面とを溶接Ｗすることで、上下の鋼管杭を一体化している。すなわち、鋼管杭の内面側において溶接作業を必要とする。鋼管杭の内面側での溶接作業は、全周面にわたっての完全な溶接は困難であるとともに、溶接状態の完全な確認は困難である。
上記の問題解決すべく，図＊２＊に示すごとく、鋼管の連結部の外側に単管を挿入し、単管の上端と鋼管杭の外面とを溶接することで、上下の鋼管杭を一体化することか考えられるが、鋼管杭の連結部の一体化が不十分となり、障害物の存在で圧入時に、連結部が屈曲して、基礎杭の直進性が悪化する問題点かある。【０００５】  本発明は、上記の鋼管杭の連結部について、溶接個所の確実な作業・確実な検査により、上下の鋼管杭の一体化を確保して、施工にあたり基礎杭の直進垂下を目的とする。
【課題を解決するため手段】
【０００６】  本願発明は、鋼管杭と建築物基礎底との間に油圧ジャッキを設置し、油圧ジャッキを操作することで家屋の自重の反力を利用して鋼管杭に土中に圧入して、多段の鋼管杭により基礎杭を構成する鋼管杭施工法において、
管杭の上端部に拡大部を形成し、
下段の鋼管杭の拡大部と上段の鋼管杭の下端部とを係合させ、
上段の鋼管杭の下端部の周囲と、下段の鋼管杭の拡大部とを溶接することにより、上下の鋼管杭を接続して一体化することを特徴とする。
【発明の効果】
【０００７】  本願発明は、傾斜家屋の基礎の修復にあたり、ジャッキ使用による圧入工法による家屋基礎施工法に際し、溶接作業を容易かつ確実なものとするとともに、施工コストを低減する効果を有する。
【図面の簡単な説明】
【０００８】
【図１】本発明の鋼管杭施工法の施工例を示す略図。
【図２】鋼管杭と鋼管杭との接続構造の説明図で、ａ図は縦断面図、ｂ図はａ図のＳ―Ｓ切断線による横断面図。
【図３】鋼管杭圧入施工手順の説明図で、堀削作業を示す。
【図４】同じく、油圧ジャッキの設置、鋼管杭圧入の開始を示す。
【図５】同じく、鋼管杭の接続を示す。
【図６】同じく、ジャッキヤップの作業完了を示す。
【図７】同じく、スペーサ設置を示す。
【図８】同じく、埋め戻し示す。
【図９】同じく、間詰注入を示す。
【図１０】公知の鋼管杭施工法の施工例を示す略図。
【発明の好適な実施の形態】
【０００９】  図１を参照して、本発明の基礎杭Ａは、多段の鋼管杭１により基礎杭Ａを構成する。前記鋼管杭１は、その上端部に拡大部１１を形成している。
【００１０】  図２を参照して、上下鋼管杭の接続構造Ｂについて、図２を参照して、下段の鋼管杭の拡大部１１と上段の鋼管杭の下端部１２とを係合させ、上段の鋼管杭の下端部の周囲と、下段の鋼管杭の拡大部とを溶接する。
【００１１】  上下の鋼管杭の接続にあたり、溶接個所Ｗを介して一体化する。
【００１２】  溶接個所Ｗは、上段の鋼管杭の下端部１２の外周面と、下段の鋼管杭の拡大部１１の内周面との間に位置し、溶接個所Ｗの上面は上方へ開放している。また、鋼管１の全周面を包囲している。
【００１３】  溶接個所Ｗを形成するための溶接作業は、鋼管１の外方でかつ上方からの作業となる。したがって、溶接作業は容易かつ確実であり、鋼管１に対して確実に全周面に確実に行うことができる。
【００１４】  更に、溶接個所Ｗについて、溶接作業が、鋼管の側面の全周面に確実に行われていることは、鋼管１の外方の上方からの目視作業で確実に実施することができる。
【００１５】  本願発明の鋼管杭施工法を適用した基礎修復に関して、施工手順例を以下に示す。
ａ．堀削
家屋をジャッキアップするにあたり、鋼管圧入、およひ、その作業スペースを確保するため、家屋基礎Ｄ直下の地面を方形状に堀削する。
【００１６】  ｂ．鋼管圧入（本願発明の実施）
対象の家屋基礎Ｄ直下に、鋼管１および油圧ジャッキＣを設置する。
家屋の自重の反力を利用して鋼管１をジャッキＣにて圧入する。
１本目の鋼管１の圧入が完成する。
つぎの鋼管１を取付ける
鋼管１の継手個所Ｂを溶接する。
以後、鋼管杭Ａが支持基盤Ｅに達するまで、この行程を継続する。
【００１７】  ｃ．ジャッキアップ
鋼管圧入の完了後、全ジャッキアップ作業個所に油圧ジャッキを設置し、家屋傾斜の修正を開始する。
基礎コンクリート、外壁などの異常、および家屋レベルの変動を常時監視しながら、少しずつジャッキアップしていき、所定レベルまで、家屋の沈下を修正する。
【００１８】  ｄ．杭頭本受け（スペーサ設置）
所定レベルに家屋傾斜修正が完了したのち、支持杭と基盤との間にスペーサーＦを取付ける。そち、油圧ジャッキを撤去する。
【００２０】  ｅ．埋め戻し
堀削した個所まで、埋め戻して復旧する。
また、排水、給水設備などの埋設物、外交及び家屋内の建具、設備などの異状を検出して修復を検討し、施工を行う。
【００２１】  ｆ．間詰注入
家屋修正で浮き上がった基礎と地面との隙間にセメント系注入剤による間詰注入を実施し、基礎と地面との間にセメント材をゆき渡らせる。
【００２２】  本願発明は、施工資材として、所定長さに切断した鋼管のみを使用し、鋼管の頭部に拡大部を形成することで、作業準備を完了するものであるから、施工準備を容易とするとともに、施工コストを低減する効果を有する。
【産業上の利用可能性】
【００２３】  本願発明は、傾斜家屋の基礎の修復にあたり、ジャッキ使用による圧入工法による家屋基礎杭の施工を容易かつ確実なものとするとともに、施工コストを低減する効果を有し、基礎杭施工に関する産業のはってんにきよするものである。
【符号の説明】
【００２４】Ａ  基礎杭
Ｂ  接続構造
Ｃ  油圧ジャッキ
Ｄ  家屋基礎
Ｗ  溶接個所
１  鋼管
１１  拡大部
１２  下端部
【図１】
2019152083.tif 000003
【図２】
2019152083.tif 000004
【図３】
2019152083.tif 000005
【図４】
2019152083.tif 000006
【図５】
2019152083.tif 000007
【図６】
2019152083.tif 000008
【図７】
2019152083.tif 000009
【図８】
2019152083.tif 000010
【図９】
2019152083.tif 000011
【図１０】
2019152083.tif 000012